(57)【要約】  本発明は、ファン装置及び当該ファン装置を備える家庭用携帯型ファンに関する。ファンユニットは、ファン本体と、前記ファン本体の端部に接続されるベースを含み、前記ファン本体が前記ベースに対し枢動可能となるよう、前記ファン本体と前記ベースが回転軸を介して枢結され、前記ベースには更に第１磁性体が設けられる。また、電気接続ブラケットには第２磁性体が設けられる。前記第１磁性体と前記第２磁性体が互いに吸引し合うことで、前記ファンユニットは、前記第１磁性体と前記第２磁性体の吸引によって前記電気接続ブラケットに電気的に接続されつつ、前記電気接続ブラケットと平行な平面において、前記第１磁性体の幾何中心周りに前記電気接続ブラケットに対して枢動可能となる。【選択図】図２
2019509416.tif 000002
【特許請求の範囲】
【請求項１】
ファン本体と、前記ファン本体の端部に接続されるベースを含み、前記ファン本体が前記ベースに対し枢動可能となるよう、前記ファン本体と前記ベースが回転軸を介して枢結され、前記ベースには更に第１磁性体が設けられるファンユニットと、
第２磁性体が設けられる電気接続ブラケット、を含み、
前記第１磁性体と前記第２磁性体が互いに吸引し合うことで、前記ファンユニットは、前記第１磁性体と前記第２磁性体の吸引によって前記電気接続ブラケットに電気的に接続されつつ、前記電気接続ブラケットと平行な平面において、前記第１磁性体の幾何中心周りに前記電気接続ブラケットに対して枢動可能となることを特徴とするファン装置。
【請求項２】
前記第１磁性体は、前記ベースのうち前記電気接続ブラケット寄りの側に設けられるとともに、前記ベースの外表面に露出しており、前記第２磁性体は、前記電気接続ブラケットのうち前記ベース寄りの側に設けられるとともに、前記電気接続ブラケットの外表面に露出していることを特徴とする請求項１に記載のファン装置。
【請求項３】
前記電気接続ブラケットはポータブル電源であり、且つ、前記ポータブル電源は、接続制御回路、前記接続制御回路に電気的に接続されるモバイルバッテリ、及び、前記接続制御回路と前記第１磁性体の間に接続される接続スイッチを含み、
前記ファンユニットは、更に、内蔵バッテリ、前記内蔵バッテリに電気的に接続される電源制御回路、前記電源制御回路に電気的に接続されるセンサ、及び、前記第２磁性体と前記内蔵バッテリに電気的に接続されるファン制御回路、を含み、前記ファン制御回路と前記内蔵バッテリの間には更に電気制御スイッチが接続されており、且つ、前記電源制御回路は前記電気制御スイッチに電気的に接続され、
前記センサは、前記接続制御回路と前記第１磁性体の間に設けられるか、或いは、前記ファン制御回路と前記第２磁性体の間に設けられ、前記電源制御回路は前記センサの検出結果に基づいて、前記内蔵バッテリ又は前記ポータブル電源が前記ファン制御回路に電気を供給するよう制御することを特徴とする請求項１に記載のファン装置。
【請求項４】
前記電気接続ブラケットには、フック、吸盤又は回転台が組み付けられていることを特徴とする請求項１に記載のファン装置。
【請求項５】
ファン本体と、前記ファン本体の端部に接続されるベースを含み、前記ファン本体が前記ベースに対し回転可能となるよう、前記ファン本体と前記ベースが回転軸を介して枢結され、前記ベースには更に第１磁性体が設けられるファンユニットと、
第２磁性体が設けられるポータブル電源、を含み、
前記第１磁性体と前記第２磁性体が互いに吸引し合うことで、前記ファンユニットは、前記第１磁性体と前記第２磁性体の吸引によって前記ポータブル電源に電気的に接続されつつ、前記第１磁性体の幾何中心周りに前記ポータブル電源に対して枢動可能であり、
前記第１磁性体は、前記ベースのうち電気接続ブラケット寄りの側に設けられるとともに、前記ベースの外表面に露出しており、前記第２磁性体は、前記電気接続ブラケットのうち前記ベース寄りの側に設けられるとともに、前記電気接続ブラケットの外表面に露出しており、
前記電気接続ブラケットは前記ポータブル電源であり、前記ポータブル電源は、接続制御回路、前記接続制御回路に電気的に接続されるモバイルバッテリ、及び、前記接続制御回路と前記第１磁性体の間に接続される接続スイッチを含み、
前記ファンユニットは、更に、内蔵バッテリ、前記内蔵バッテリに電気的に接続される電源制御回路、前記電源制御回路に電気的に接続されるセンサ、及び、前記第２磁性体と前記内蔵バッテリに電気的に接続されるファン制御回路、を含み、前記ファン制御回路と前記内蔵バッテリの間には更に電気制御スイッチが接続されており、且つ、前記電源制御回路は前記電気制御スイッチに電気的に接続され、
前記センサは、前記接続制御回路と前記第１磁性体の間に設けられるか、或いは、前記ファン制御回路と前記第２磁性体の間に設けられ、前記電源制御回路は前記センサの検出結果に基づいて、前記内蔵バッテリ又は前記ポータブル電源が前記ファン制御回路に電気を供給するよう制御することを特徴とするファン装置。
【請求項６】
請求項１に記載のファン装置を２つ含み、且つ、２つの前記ファン装置それぞれの電気接続ブラケットが互いに当接していることを特徴とする家庭用携帯型ファン。
【請求項７】
前記第１磁性体は、前記ベースのうち前記電気接続ブラケット寄りの側に設けられるとともに、前記ベースの外表面に露出しており、前記第２磁性体は、前記電気接続ブラケットのうち前記ベース寄りの側に設けられるとともに、前記電気接続ブラケットの外表面に露出していることを特徴とする請求項６に記載の家庭用携帯型ファン。
【請求項８】
前記電気接続ブラケットはポータブル電源であり、前記ポータブル電源は、接続制御回路、前記接続制御回路に電気的に接続されるモバイルバッテリ、及び、前記接続制御回路と前記第１磁性体の間に接続される接続スイッチを含み、
前記ファンユニットは、更に、内蔵バッテリ、前記内蔵バッテリに電気的に接続される電源制御回路、前記電源制御回路に電気的に接続されるセンサ、及び、前記第２磁性体と前記内蔵バッテリに電気的に接続されるファン制御回路、を含み、前記ファン制御回路と前記内蔵バッテリの間には更に電気制御スイッチが接続されており、且つ、前記電源制御回路は前記電気制御スイッチに電気的に接続され、
前記センサは、前記接続制御回路と前記第１磁性体の間に設けられるか、或いは、前記ファン制御回路と前記第２磁性体の間に設けられ、前記電源制御回路は前記センサの検出結果に基づいて、前記内蔵バッテリ又は前記ポータブル電源が前記ファン制御回路に電気を供給するよう制御することを特徴とする請求項６に記載の家庭用携帯型ファン。
【請求項９】
更に、自在に回転可能な回転ベースを含み、２つの前記ファン装置それぞれの電気接続ブラケットは、前記ファンユニットに対し垂直な方向に前記回転ベースへと挿入されることを特徴とする請求項６に記載の家庭用携帯型ファン。
【請求項１０】
前記回転ベースは、外部電源に接続される電源接続口と、前記電気接続ブラケットに接続されるスロットを備え、前記回転ベースは、外部電源に接続されて前記電気接続ブラケット内部のモバイルバッテリに充電するか、ファンユニットの内蔵バッテリに対し直接電気を供給することを特徴とする請求項７に記載の家庭用携帯型ファン。
【請求項１１】
更に、スプレー装置を含み、前記スプレー装置は前記ファン装置の電気接続ブラケットに挿接され、前記スプレー装置は、更に前記ファン装置の液体に連通することを特徴とする請求項６に記載の家庭用携帯型ファン。
【請求項１２】
更に、各前記ファン装置の電気接続ブラケットには給水タンクが設けられ、且つ、前記給水タンクと各前記ファン装置のファンユニットとの間には更に給水経路がそれぞれ形成されており、前記給水経路のうち前記給水タンクから離開する一端にはノズルが設けられていることを特徴とする請求項９に記載の家庭用携帯型ファン。
【発明の詳細な説明】
【技術分野】
【０００１】
本発明はファンの技術分野に関し、特に、ファン装置及び当該ファン装置を備える家庭用携帯型ファンに関する。
【背景技術】
【０００２】
従来技術において、家庭用ファンは交流電源につながなければ機能を発揮することができず、携帯性と実用性に限界がある。一方、携帯型のファンは使用時間が短く、充電しにくいほか、風力がニーズを満たせないことも多い。また、充電が必要な場合には、一般的にファンのプラグをコンセントに差し込まねばならない。そのため、ファンへの電源供給中はプラグとコンセントの孔を正確に位置合わせする必要があるが、位置合わせしてしまうとファンを回転させられないため、使用にあたって極めて不便であり、汎用性にも劣る。
【発明の概要】
【発明が解決しようとする課題】
【０００３】
本発明は、従来技術における上記の瑕疵を解消し、使用しやすく汎用性の高いファン装置、及び当該ファン装置を備える家庭用携帯型ファンを提供することを解決すべき技術的課題とする。
【課題を解決するための手段】
【０００４】
上記の技術的課題を解決すべく、本発明は、ファン本体と、前記ファン本体の端部に接続されるベースを含み、前記ファン本体が前記ベースに対し枢動可能となるよう、前記ファン本体と前記ベースが回転軸を介して枢結され、前記ベースには更に第１磁性体が設けられるファンユニットと、第２磁性体が設けられる電気接続ブラケット、を含み、前記第１磁性体と前記第２磁性体が互いに吸引し合うことで、前記ファンユニットは、前記第１磁性体と前記第２磁性体の吸引によって前記電気接続ブラケットに電気的に接続されつつ、前記電気接続ブラケットと平行な平面において、前記第１磁性体の幾何中心周りに前記電気接続ブラケットに対して枢動可能となるファン装置を提供する。
【０００５】
一の実施例において、前記第１磁性体は、前記ベースのうち前記電気接続ブラケット寄りの側に設けられるとともに、前記ベースの外表面に露出しており、前記第２磁性体は、前記電気接続ブラケットのうち前記ベース寄りの側に設けられるとともに、前記電気接続ブラケットの外表面に露出している。
【０００６】
一の実施例において、前記電気接続ブラケットはポータブル電源であり、且つ、前記ポータブル電源は、接続制御回路、前記接続制御回路に電気的に接続されるモバイルバッテリ、及び、前記接続制御回路と前記第１磁性体の間に接続される接続スイッチを含み、前記ファンユニットは、更に、内蔵バッテリ、前記内蔵バッテリに電気的に接続される電源制御回路、前記電源制御回路に電気的に接続されるセンサ、及び、前記第２磁性体と前記内蔵バッテリに電気的に接続されるファン制御回路、を含み、前記ファン制御回路と前記内蔵バッテリの間には更に電気制御スイッチが接続されており、且つ、前記電源制御回路は前記電気制御スイッチに電気的に接続され、前記センサは、前記接続制御回路と前記第１磁性体の間に設けられるか、或いは、前記ファン制御回路と前記第２磁性体の間に設けられ、前記電源制御回路は前記センサの検出結果に基づいて、前記内蔵バッテリ又は前記ポータブル電源が前記ファン制御回路に電気を供給するよう制御する。
【０００７】
一の実施例において、前記電気接続ブラケットには、フック、吸盤、回転台又はＵＳＢインタフェースが組み付けられている。
【０００８】
また、技術的課題を解決すべく、本発明は更に、ファン本体と、前記ファン本体の端部に接続されるベースを含み、前記ファン本体が前記ベースに対し回転可能となるよう、前記ファン本体と前記ベースが回転軸を介して枢結され、前記ベースには更に第１磁性体が設けられるファンユニットと、第２磁性体が設けられるポータブル電源、を含み、前記第１磁性体と前記第２磁性体が互いに吸引し合うことで、前記ファンユニットは、前記第１磁性体と前記第２磁性体の吸引によって前記ポータブル電源に電気的に接続されつつ、前記第１磁性体の幾何中心周りに前記ポータブル電源に対して枢動可能であり、前記ポータブル電源は、接続制御回路、前記接続制御回路に電気的に接続されるモバイルバッテリ、及び、前記接続制御回路と前記第１磁性体の間に接続される接続スイッチを含み、前記ファンユニットは、更に、内蔵バッテリ、前記内蔵バッテリに電気的に接続される電源制御回路、前記電源制御回路に電気的に接続されるセンサ、及び、前記第２磁性体と前記内蔵バッテリに電気的に接続されるファン制御回路、を含み、前記ファン制御回路と前記内蔵バッテリの間には更に電気制御スイッチが接続されており、且つ、前記電源制御回路は前記電気制御スイッチに電気的に接続され、前記センサは、前記接続制御回路と前記第１磁性体の間に設けられるか、或いは、前記ファン制御回路と前記第２磁性体の間に設けられ、前記電源制御回路は前記センサの検出結果に基づいて、前記内蔵バッテリ又は前記ポータブル電源が前記ファン制御回路に電気を供給するよう制御するファン装置を提供する。
【０００９】
また、技術的課題を解決すべく、本発明は更に、上記ファン装置を２つ含み、且つ、２つの前記ファン装置それぞれの電気接続ブラケットが互いに当接している家庭用携帯型ファンを提供する。
【００１０】
一の実施例において、前記家庭用携帯型ファンは更に、自在に回転可能な回転ベースを含み、２つの前記ファン装置それぞれの電気接続ブラケットは、前記ファンユニットに対し垂直な方向に前記回転ベースへと挿入される。
【００１１】
一の実施例において、前記回転ベースは、外部電源に接続される電源接続口と、前記電気接続ブラケットに接続されるスロットを備え、前記回転ベースは、外部電源に接続されて前記電気接続ブラケット内部のモバイルバッテリに充電するか、ファンユニットの内蔵バッテリに対し直接電気を供給する。
【００１２】
一の実施例において、前記家庭用携帯型ファンは更にスプレー装置を含み、前記スプレー装置は前記ファン装置の電気接続ブラケットに挿接され、前記スプレー装置は、更に前記ファン装置の液体に連通する。
【００１３】
一の実施例において、更に、各前記ファン装置の電気接続ブラケットには給水タンクが設けられ、且つ、前記給水タンクと各前記ファン装置のファンユニットとの間には更に給水経路がそれぞれ形成されており、前記給水経路のうち前記給水タンクから離開する一端にはノズルが設けられている。
【発明の効果】
【００１４】
本発明で提供するファン装置及び当該ファン装置を備える家庭用携帯型ファンを実施すれば、以下の有益な効果が得られる。即ち、電気供給時には、磁気接続部材の磁性体による吸着力の範囲内において、当該ファンユニットは正確に位置合わせしなくとも、自動的に素早く電気接続ブラケットとの接続を実現可能である。且つ、当該ファンは死角なく送風を実現可能であり、風力及び機能については家庭用ファンの機能に匹敵しつつ、実用性、携帯性、省エネ性などにおいては家庭用ファンを大きく上回っている。このほか、当該ファン装置及びこれに組み合わせられるファンは体積が小さく軽量であるため、長時間使用可能であるとともに、素早く分解可能である。また、分解された各部材は、いずれも実用性及び携帯性を強化する機能を有する。
【００１５】
以下に、図面と実施例を組み合わせて本発明につき更に説明する。
【図面の簡単な説明】
【００１６】
【図１】図１は、本発明の好ましい実施例におけるファン装置の組立図である。
【図２】図２は、図１のファン装置におけるファンユニットと電気接続ブラケットを切り離して示す構造図である。
【図３】図３は、図１のファンユニットを電気接続ブラケットに対して一定角度回転させた場合を示す構造図である。
【図４】図４は、図１のファンユニットにおけるファン本体をベースに対して一定角度枢動させた場合を示す構造図である。
【図５】図５は、本発明の一実施例における動作原理を示すブロック図である。
【図６】図６は、本発明のファン装置による下方への送風を示す図である。
【図７】図７は、本発明の一実施例における家庭用携帯型ファンの構造を示す概略図である。
【図８】図８は、図７の家庭用携帯型ファンの分解図である。
【図９】図９は、図７の家庭用携帯型ファンを回転ベースに挿入した場合を示す構造図である。
【図１０】図１０は、本発明の他の実施例における家庭用携帯型ファンの構造を示す概略図である。
【発明を実施するための形態】
【００１７】
本発明の目的、技術方案及び利点をより明瞭とすべく、以下に図面と実施例を組み合わせて本発明につき更に詳細に説明する。なお、ここで記載する具体的実施例は本発明を説明するためのものにすぎず、本発明を限定するものではない。
【００１８】
図１〜４は、本発明の一実施例におけるファン装置１００を示している。図１〜４に示すように、当該ファン装置１００は、概してファンユニット１０及び電気接続ブラケット２０を含む。ファンユニット１０と電気接続ブラケット２０の間は、磁気接続部材３０によって互いに取り外し可能に電気的に接続されている。図１〜４に示す実施例において、電気接続ブラケット２０は、ファンユニット１０に電気を供給可能なポータブル電源とすることが好ましい。また、他の実施例において、当該電気接続ブラケット２０には、外部電源からファンユニット１０に電気を供給可能となるよう、例えば自動車のバッテリや電源コンセント等の外部電源を更に接続してもよい。
【００１９】
更に、図４を参照して、本実施例では、磁気接続部材３０を用いてファンユニット１０と電気接続ブラケット２０を接続する際に、磁気結合によってファンユニット１０を電気接続ブラケット２０に対し枢動可能としつつ、ファンユニット１０と電気接続ブラケット２０との電気接続を実現する。これによれば、ファンユニット１０が電気接続ブラケット２０に対して３６０度の範囲のどの角度で接続されたとしても、ファンユニット１０内のファン制御回路１６（図５参照）に対して自動的に素早く電気を供給することが可能となる。よって、本発明のファン装置１００は使用しやすく、電気接続ブラケット２０とファンユニット１０を正確に位置合わせしなくとも、ファンユニット１０に対し外部から電気を供給可能となる。また、ファンユニット１０を３６０度回転させて調整することも可能である。
【００２０】
具体的には、図１〜４に示すように、ファンユニット１０は、概してファン本体１１と当該ファン本体１１の端部に接続されるベース１２を含む。本実施例では、当該ファン本体１１とベース１２が、一実施例において回転軸１３を介して枢結されている。これにより、ファン本体１１はベース１２周りに１８０度の範囲において任意の角度で回転を実現し（図４参照）、角度を調節可能となるため、容易に所望の角度を選択して送風することが可能となる。したがって、上記のように設けることで、ファンユニットは電気接続ブラケット２０と平行な平面において３６０度の調整が可能になるとともに、３次元空間において回転軸１３周りに１８０度の調整が実現される。結果、どのような目標物に対しても死角なく送風できるため、当該ファン装置に家庭用ファンとしての効果を発揮させることが可能となる。
【００２１】
具体的には、図２に示すように、当該磁気接続部材３０は、概して第１磁性体３１及び第２磁性体３２を含む。第１磁性体３１と第２磁性体３２が互いに吸引し合うことで、ファンユニット１０は、第１磁性体３１と第２磁性体３２の吸引によって電気接続ブラケット２０との電気的な接続を実現しつつ、電気接続ブラケット２０に対し、第１磁性体３１の幾何中心周りに枢動可能となる。
【００２２】
第１磁性体３１は、ベース１２のうち電気接続ブラケット２０寄りの側に設けられるとともに、当該ベース１２の外表面に露出している。一の実施例において、当該第１磁性体３１のうち第２磁性体３２と接触する面は、ベース１２のうち電気接続ブラケット２０寄りの側の外表面と面一となっている。一方、第２磁性体３２は電気接続ブラケット２０のうちベース１２寄りの側に設けられるとともに、当該電気接続ブラケット２０の外表面に露出している。また、一の実施例において、当該第２磁性体３２のうち第１磁性体３１と接触する面は、電気接続ブラケット２０のうちベース１２寄りの側の外表面と面一となっている。このほか、当該第１磁性体３１のうち電気接続ブラケット２０寄りの側は、第２磁性体３２のうちベース１２寄りの側とは逆極性となっている。そのため、ファンユニット１０が電気接続ブラケット２０に対してどのような角度で回転したとしても、当該第１磁性体３１と第２磁性体３２は互いに吸引し合うことが可能である。これにより、ファンユニット１０がベース１２を介してしっかりと電気接続ブラケット２０に吸着するとともに、ファンユニット１０と電気接続ブラケット２０との電気的な接続が実現される結果、ファンユニット１０への電気供給が実現される。
【００２３】
なお、第１磁性体３１と第２磁性体３２をこのような面一に設けることで、ファンユニット１０を直に電気接続ブラケット２０の表面に接触させられる。そのため、第１磁性体３１と第２磁性体３２が外側に突出してカンチレバー構造を形成する場合のように、第１磁性体３１と第２磁性体３２が過大な力を受けて使用寿命が短縮されるとの事態を回避可能となる。なお、強調すべき点として、他の実施例においては、例えばワイヤレス充電技術によってファンユニットを充電するというように、当該磁気接続部材３０に代わるその他の方式を用いてもよいことはいうまでもない。
【００２４】
このほか、当該第１磁性体３１と第２磁性体３２は、例えば鋼、合金等の導電材料からなり、且つ、第１磁性体と第２磁性体は永久磁石とすることが好ましい。したがって、第１磁性体３１と第２磁性体３２が磁気結合されると、ファンユニット１０と電気接続ブラケット２０が互いに電気的に接続されることで、ファンユニット１０に対する電気供給を実現可能となる。
【００２５】
更に、図１〜４に図５を組み合わせて、本実施例において、電気接続ブラケット２０は、接続制御回路２１と、当該接続制御回路２１と第１磁性体３１の間に接続される接続スイッチ２２を更に含む。接続スイッチ２２が閉じると、接続制御回路２１と第１磁性体３１の間の回路が導通する一方、接続スイッチ２２が切り離されると、接続制御回路２１と第１磁性体３１の間の回路が切断される。当該接続スイッチ２２は押しボタンとすることが好ましい。電気接続ブラケット２０がポータブル電源の場合、当該電気接続ブラケット２０は更にモバイルバッテリ２３を含む。当該モバイルバッテリ２３は接続制御回路２１に電気的に接続されるとともに、接続制御回路２１によって放電が制御される。
【００２６】
次に、電気接続ブラケット２０をポータブル電源とする実施例を挙げて、図５を組み合わせつつ、当該ファン装置の動作原理図について説明する。図５に示すように、本実施例において当該ファンユニット１０は、ファンユニット１０と電気接続ブラケット２０が切り離された場合に、独立してファンユニット１０に電力を供給するための内蔵バッテリ１４を更に含む。当該内蔵バッテリ１４はベース１２内に収容される。また、当該内蔵バッテリ１４は充電バッテリとすることが好ましい。
【００２７】
更に、図５に示すように、当該ファンユニット１０は、電源制御回路１５、ファン制御回路１６及びセンサ１７を更に含む。電源制御回路１５、ファン制御回路１６及びセンサ１７は、いずれもベース１２内に収容される。
【００２８】
本実施例では具体的に、センサ１７を、検出回路における初期設定パラメータの値を検出して電源制御回路１５にフィードバックするための電流センサとすることが好ましい。電源制御回路１５と内蔵バッテリ１４は電気的に接続されているため、内蔵バッテリ１４は常に電源制御回路１５に対し電気を供給可能である。また、当該電源制御回路１５はセンサ１７にも電気的に接続されており、センサ１７の検出結果に基づいて、どの電源（内蔵バッテリ１４又はポータブル電源）からファン制御回路１６に電気を供給するかを制御する。ファン制御回路１６は内蔵バッテリ１４及び第２磁性体３２に電気的に接続されており、内蔵バッテリ１４又はポータブル電源から電気が供給される。当該ファン制御回路１６はユーザからの入力操作に基づいて、ファンのオン・オフ、首振り、時間設定、風速等の機能を実現する。本実施例では、例えばファン制御回路１６と内蔵バッテリ１４の間に電気制御スイッチ１４１（リレーとすることが好ましい）が設けられている。当該電気制御スイッチ１４１は、電源制御回路１５に電気的に接続されている。よって、電源制御回路１５は電気制御スイッチ１４１の開閉を制御することで、内蔵バッテリ１４とファン制御回路１６の間の回路を導通又は切断させられる。
【００２９】
更に、図５に示すように、本実施例において、当該センサ１７は接続制御回路２１と第１磁性体３１の間に接続されており、当該回路部分の電流の大きさを検出するとともに、検出結果を電源制御回路１５にフィードバック可能である。電源制御回路１５はセンサ１７の検出結果に基づき、ファン制御回路１６と内蔵バッテリ１４の間の回路について開閉を制御する。なお、いうまでもなく、他の実施例では当該センサ１７を第２磁性体３２とファン制御回路１６の間に接続してもよい。
【００３０】
更に、図３及び図４に示すように、本実施例において、当該ファンユニット１０はベース１２に設けられるスイッチボタン１８及び速度調整部材１９を更に含む。スイッチボタン１８は、内蔵バッテリ１４と電源制御回路１５の間に接続されており、電源制御回路１５と内蔵バッテリ１４の間の回路について開閉を制御することで、ファン装置全体のオン・オフを実現する。
【００３１】
以下に、図１〜５を組み合わせて、当該ファン装置１００の動作原理について簡単に述べる。
【００３２】
接続スイッチ２２が閉じると、接続制御回路２１と第１磁性体３１の間の回路が導通する。センサ１７は、初期設定期間内に電流が回路に存在するか否かを検出する。電流が存在しない場合には回路が導通していない（例えば、第１磁性体３１と第２磁性体３２が磁気結合していないか、スイッチボタン１８が閉じていない）ことから、接続制御回路２１は、初期設定期間後に当該ポータブル電源内のモバイルバッテリ２３が放電を停止するよう制御する。当該初期設定期間は、５〜１０ｓとすることが好ましい。
【００３３】
センサ１７が初期設定期間内に回路において電流を検出した場合には、第１磁性体３１と第２磁性体３２が磁気結合されており、且つ、スイッチボタン１８が閉じられていることから、ファン制御回路１６と接続制御回路２１の間の回路が導通している。このとき、電源制御回路１５がセンサ１７の検出結果に基づいて、内蔵バッテリ１４とファン制御回路１６の間の回路を切断するよう制御するとともに、接続制御回路２１がモバイルバッテリ２３からファン制御回路１６に電気を供給するよう制御する。
【００３４】
接続スイッチ２２が切り離されると、接続制御回路２１と第１磁性体３１の間の回路は切断される。このとき、センサ１７は電流の流れを検出できなくなる。よって、スイッチボタン１８により電源が閉じられており、内蔵バッテリ１４が制御回路１５に対し電気を供給している場合、制御回路１５は内蔵バッテリ１４とファン制御回路１６の間の回路が導通するよう制御して、内蔵バッテリ１４から当該ファン制御回路１６に電気を供給する。
【００３５】
また、本実施例では、ファン装置の使用環境や使用ニーズの違いに適応すべく、例えばフック、吸盤、回転台等の構造を電気接続ブラケット２０に組み付けてもよいし、例えば自動車用電源といった外付けの電源コードを電気接続ブラケット２０に接続してもよい。本実施例では、一の実施例において、電気接続ブラケット２０のうちファンユニット１０から離開する表面にこのようなフック、吸盤又は回転台等が組み付けられている。
【００３６】
このように、当該ファン装置１００を使用する際には、ファンユニット１０と電気接続ブラケット２０の間が磁気接続部材３０或いはその他の方式によって取り外し可能に電気的に接続される。よって、ファンユニット１０が電気接続ブラケット２０に対して３６０度を成す場合であっても、電気接続ブラケット２０とファンユニット１０との電気的な接続を維持可能であり、ファンユニット１０に対する電気供給が実現される。このほか、図６に示すように、当該ファン装置１００は一般的なファンでは実現不可能な下方への送風を実現可能なことから、風力を分散させられる。
【００３７】
図７〜８は、更に、本発明の一の実施例における上記ファン装置１００を備えた家庭用携帯型ファン２００を提示している。図７〜８に示すように、本実施例において、当該家庭用携帯型ファン２００は、概して２つの前記ファン装置１００を含む。２つのファン装置１００それぞれの電気接続ブラケット２０の間は外付けの接続部材４０によって互いに固定接続されるとともに、互いに支持されている。これにより、電気接続ブラケット２０の長さ方向が重力方向に対し平行となるようレイアウトされた場合でも、２つのファン装置１００をしっかりと動作台（図示しない）に配置可能となる。当該接続部材４０は、位置決め部材及び位置決め孔、フック及び係合溝、或いは、突出部及び凹溝といった相補構造を含んでもよいし、マジックテープ（登録商標）等の接着構造を含んでもよいが、これらに限らない。なお、いうまでもなく、他の実施例では、２つのファン装置１００それぞれの電気接続ブラケット２０同士を直接当接させてもよい。
【００３８】
図９は、更に、本発明の他の実施例における上記ファン装置１００を備えた家庭用携帯型ファン２００を提示している。図９に示すように、当該家庭用携帯型ファン２００は更に回転ベース４００を含む。ファン装置１００それぞれの電気接続ブラケット２０は、前記ファンユニットに対し垂直な方向に前記回転ベース４００へと挿入される。当該ファン装置１００が回転ベース４００に挿入されると、回転ベース４００は自動的に回転可能なことから、当該ファン装置１００もまた回転自在となる。なお、当該回転ベース４００が懸架されている場合であっても回転は可能である。
【００３９】
更に、図９に示すように、前記回転ベース４００は外部電源に接続される電源接続口４１０と、前記電気接続ブラケットに接続されるスロット４２０を備える。前記回転ベース４００は、外部電源（図示しない）に接続されて前記電気接続ブラケット２０内部のモバイルバッテリに充電するか、ファンユニットの内蔵バッテリに対し直接電気を供給する。
【００４０】
図１０は、更に、本発明の他の実施例における上記ファン装置１００を備えた家庭用携帯型ファン２００を提示している。図１０に示すように、本実施例では一の実施例において、電気接続ブラケット２０のうち動作台から離間する側にスプレー装置３００を更に設けてもよい。本実施例において、当該スプレー装置３００は概して給水タンク３１０を含む。且つ、給水タンク３１０と各ファン装置１００のファンユニット１０との間には更に給水経路３２０がそれぞれ形成されており、給水タンク３１０内の水がそれぞれ給水経路３２０を経由してファンユニット１０に供給される。これにより、ファンユニット１０の動作時に、給水タンク３１０内の水をスプレーすることで加湿を可能とし、更には降温機能も実現する。当該給水タンク３１０は略漏斗形状をなしている。且つ、給水タンク３１０には貯水タンク３３０を更に接続してもよい。本実施例では、当該貯水タンク３３０は一の実施例において給水タンク３１０の上方に位置しているため、重力の作用によって自動給水を実現可能である。このほか、給水経路３２０のうち給水タンク３１０から離開する一端には、一の実施例において、水をスプレーしやすいよう更にノズル（図示しない）が備わっている。
【００４１】
上記では、２つのファン装置１００を備えた家庭用携帯型ファン２００の実施例について提示した。ただし、本発明の他の実施例では、当該家庭用携帯型ファン２００は３つ、４つ、又はより多くのファン装置１００を組み合わせて形成してもよい。この場合、複数のファン装置１００は、互いに支持可能となるよう接続部材によって接続すればよい。
【００４２】
本発明のファン装置１００は単体で使用してもよいし、複数のファン装置１００を組み合わせて使用してもよい。また、電気供給時には、磁気接続部材の磁性体による吸着力の範囲内において、当該ファンユニットは正確に位置合わせしなくとも、自動的に素早く電気接続ブラケットとの接続を実現可能である。且つ、当該ファンは死角なく送風を実現可能であり、風力及び機能については家庭用ファンの機能に匹敵しつつ、実用性、携帯性、省エネ性などにおいては家庭用ファンを大きく上回っている。このほか、当該ファン装置及びこれに組み合わせられるファンは体積が小さく軽量であるため、長時間使用可能であるとともに、素早く分解可能である。また、分解された各部材は、いずれも実用性及び携帯性を強化する機能を有する。
【００４３】
以上、図面を組み合わせて本発明の実施例について述べたが、本発明は上記の具体的実施形態に限定されない。上記の具体的実施形態は概要にすぎず、限定の意図はない。当業者であれば本発明から教唆を得て、本発明の主旨及び請求項で保護される範囲を逸脱することなく更に多くの形態を実施可能であり、これらはいずれも本発明の保護の範囲に属する。
【図１】
2019509416.tif 000003
【図２】
2019509416.tif 000004
【図３】
2019509416.tif 000005
【図４】
2019509416.tif 000006
【図５】
2019509416.tif 000007
【図６】
2019509416.tif 000008
【図７】
2019509416.tif 000009
【図８】
2019509416.tif 000010
【図９】
2019509416.tif 000011
【図１０】
2019509416.tif 000012
【国際調査報告】
2019509416.tif 000013
2019509416.tif 000014